(57)【要約】【課題】  画像形成装置における消耗品ユニットの未使用状態と使用状態を自動的に判別できるようにする。【解決手段】  ユニット本体２７は画像形成装置Ａに装着される当該装置の消耗品ユニット装置２５のケースである。撹拌軸３３ａは画像形成装置Ａからの回転駆動によって回転する。可撓性の長尺部材３７は、一端がその撹拌軸３３ａに巻き付け可能に固定され、他方の端部に導電部３７ａを有する。第１のコネクタ３９は、画像形成装置Ａに直接又は間接的に電気的接続され、長尺部材３７の導電部３７ａによって消耗品ユニット装置２５の第１の状態を検出する。第１のコネクタ３９は撹拌軸３３ａの回転に伴う導電部３７ａの引き抜きによって消耗品ユニット装置２５の第２の状態を検出する。【選択図】  図２
2011090132.tif 000002
【特許請求の範囲】
【請求項１】
画像形成装置に装着される当該装置の消耗品ユニットのユニット本体と、
このユニット本体内に配置され前記画像形成装置からの回転駆動によって回転する回転軸と、
一端が前記回転軸に巻き付け可能に固定された可撓性の長尺部材であって、少なくとも他方の端部に導電部を有する長尺部材と、
前記ユニット本体に配置されるとともに、前記画像形成装置に直接又は間接的に電気的接続され、前記長尺部材の前記導電部の接続によって前記消耗品ユニットの第１の状態を検出し、前記回転軸の回転に伴う前記導電部の引き抜きによって前記消耗品ユニットの第２の状態を検出する第１のコネクタと、
を具備することを特徴とする消耗品ユニット装置。
【請求項２】
前記第１のコネクタは、前記画像形成装置に電気的直接接続された第２のコネクタを介して接続される請求項１記載の消耗品ユニット装置。
【請求項３】
前記消耗品ユニットは、前記画像形成装置の感光体ドラムユニットである請求項１又は２記載の消耗品ユニット装置。
【請求項４】
前記回転軸は、感光体ドラムユニットからの廃トナーを回収するトナー回収部の撹拌軸である請求項３記載の消耗品ユニット装置。
【請求項５】
前記長尺部材は、前記撹拌軸の端部に固定されてなる請求項４記載の消耗品ユニット装置。
【請求項６】
前記第１のコネクタは、前記長尺部材の前記導電部による前記画像形成装置からの検出信号の信号ライン形成によって前記第１の状態を検出し、前記導電部の引き抜きによる前記検出ラインの開放によって前記第２の状態を検出する請求項１〜５いずれか１記載の消耗品ユニット装置。
【請求項７】
請求項１〜６いずれか１記載の消耗品ユニット装置と、画像データに基づき用紙に画像形成する画像形成部とを有する画像形成装置。
【発明の詳細な説明】
【技術分野】
【０００１】
本発明は消耗品ユニット装置および画像形成装置に係り、例えば複合機（ＭＦＰ：Multi Function Peripheral）等における感光体ドラムユニット等の消耗品ユニット装置、およびこれを搭載した画像形成装置の改良に関する。
【背景技術】
【０００２】
従来、画像形成装置は、複数の給紙段から用紙を選択して搬送する一方、原稿から読み取った画像データに基づき感光体ドラムの表面に潜像を形成し、トナーカセットから供給したトナーによってその潜像にトナー像を形成し、その感光体ドラムからその搬送用紙にトナー像を転写させ、そのトナー像を定着部にて用紙に定着させて排紙する構成が良く知られている。
【０００３】
そして、この種の画像形成装置では、その感光体ドラムを感光体ドラムユニットに形成して画像形成装置本体に着脱可能に配置し、画像形成動作の都度、感光体ドラムの使用回数をカウントして所定の使用回数が経過したとき、感光体ユニット自体を新品のものに交換可能に構成している。
【０００４】
すなわち、感光体ドラム又は感光体ドラムユニットは画像形成装置の消耗品又は消耗品ユニットとして扱われる。
【０００５】
ところが、感光体ユニットを交換した場合、この使用回数カウント値をリセットしたり、感光体ユニットが新しいものである旨表示させるために、感光体ユニットの新旧検出が必要となる。
【０００６】
従来、感光体ユニットの新旧検出構成としては、例えば特開平１−２０５１７５号公報（特許文献１）のような消耗品カートリッジが提案されている。
【０００７】
この特許文献１は、本体装置に備えた感知手段に接触してこれを動作させる検出手段と、本体装置の起動に連動してその検出手段を駆動し、その感知の動作状態を解除する解除手段を有して構成され、消耗品カートリッジの交換を本体装置側で検出可能にしたものである。
【０００８】
また、特許第３１３２０７３号公報（特許文献２）のような画像形成装置も提案されている。
【０００９】
この特許文献２は、一方の端子がドラムユニット側で接地されるヒューズをドラムユニットに設ける一方、そのドラムユニットが装置本体に装着された場合にヒューズの両端に接続されるとともに、装置本体側においてそれぞれ所定の電圧に接続される一対の端子と、その一対の端子の電圧からドラムユニットの装着の有無及び装着されたドラムユニットの新旧を判断するユニット装着有無新旧識別手段と、装着されたドラムユニットが新しいと判別された場合にヒューズに過電流を供給してこれを溶断させるヒューズ溶断手段とを有し、簡単な構造で、安価にドラムユニットの新旧を識別できるようにしたものである。
【先行技術文献】
【特許文献】
【００１０】
【特許文献１】特開平１−２０５１７５号公報
【特許文献２】特許第３１３２０７３号公報
【発明の概要】
【発明が解決しようとする課題】
【００１１】
しかしながら、上述した特許文献１では、ユニットの新旧検知を行うためにスイッチを使用し、新品検知処理を行った後に駆動がかかることによってスイッチの押圧部材を解除してスイッチを押さない構造としており、構造が複雑となり易いうえ、スイッチの押圧部材を配置する部分に駆動部が必要で、機構上のレイアウトに制約が生じ易い。
【００１２】
他方、特許文献２は、新品検知処理を行った後にヒューズに電流を流すことでヒューズを焼き切る構造となっているから、微小な電流で精度良くヒューズを切ることは困難で、ある程度大きな電流を流さなければならず、ヒューズを確実に切るためには大電流用回路と電源が必要となり、同様に、構造が複雑となったりコスト高を招き易い。
【００１３】
本発明はそのような課題を解決するためになされたもので、簡単な構成によって未使用の消耗品ユニットの検出が可能な消耗品ユニット装置および画像形成装置の提供を目的とする。
【課題を解決するための手段】
【００１４】
そのような課題を解決するために本発明の請求項１に係る消耗品ユニット装置は、画像形成装置に装着される当該装置の消耗品ユニットのユニット本体と、このユニット本体内に配置され画像形成装置からの回転駆動によって回転する回転軸と、一端がその回転軸に巻き付け可能に固定された可撓性の長尺部材であって少なくとも他方の端部に導電部を有する長尺部材と、そのユニット本体に配置されるとともに、画像形成装置に直接又は間接的に電気的接続され、その長尺部材の導電部の接続によって消耗品ユニットの第１の状態を検出し、その回転軸の回転に伴う導電部の引き抜きによってその消耗品ユニットの第２の状態を検出する第１のコネクタと、を具備している。
【００１５】
本発明の請求項２に係る消耗品ユニット装置は、上記第１のコネクタが、その画像形成装置に電気的直接接続された第２のコネクタを介して接続される構成となっている。
【００１６】
本発明の請求項３に係る消耗品ユニット装置は、上記消耗品ユニットが、その画像形成装置の感光体ドラムユニットである構成となっている。
【００１７】
本発明の請求項４に係る消耗品ユニット装置は、上記回転軸が、感光体ドラムユニットからの廃トナーを回収するトナー回収部の撹拌軸である構成を有している。
【００１８】
本発明の請求項５に係る消耗品ユニット装置は、上記長尺部材が、その撹拌軸の端部に固定されてなる構成を有している。
【００１９】
本発明の請求項６に係る消耗品ユニット装置は、上記第１のコネクタが、その長尺部材の導電部による画像形成装置からの検出信号の信号ライン形成によって上記第１の状態を検出し、その導電部の引き抜きによる検出ラインの開放によって上記第２の状態を検出する構成になっている。
【００２０】
本発明の請求項７に係る画像形成装置は、請求項１〜６いずれか１記載の消耗品ユニット装置と、画像データに基づき用紙に画像形成する画像形成部とを有して構成されている。
【発明の効果】
【００２１】
このような本発明の請求項１に係る消耗品ユニット装置は、画像形成装置に装着される消耗品ユニットのユニット本体内に配置された回転軸に、可撓性の長尺部材の一端を巻き付け可能に固定し、その長尺部材の他方の端部に導電部を形成して第１のコネクタに接続し、この状態で消耗品ユニットの第１の状態を検出し、その回転軸の回転に伴う導電部の引き抜きによってその消耗品ユニットの第２の状態を検出するから、簡単な構成により、第１の状態によって当該消耗品ユニットの未使用状態を検出し、第２の状態によって使用状態の検出が可能となる。
【００２２】
本発明の請求項２に係る消耗品ユニット装置では、上記第１のコネクタが、その画像形成装置に電気的直接接続された第２のコネクタを介して接続されるから、第２のコネクタを画像形成装置との専用接続部材に使用可能となり、長尺部材の導電部と第１のコネクタの接続を確保しつつ画像形成装置との接続が容易となる。
【００２３】
本発明の請求項３に係る消耗品ユニット装置は、上記消耗品ユニットが、その画像形成装置の感光体ドラムユニットであるから、特に、感光体ドラムユニットの未使用状態の検出が容易となる。
【００２４】
本発明の請求項４に係る消耗品ユニット装置は、上記回転軸が、感光体ドラムユニットからの廃トナーを回収するトナー回収部の撹拌軸であるから、長尺部材の巻き付け用の回転軸を別に設ける必要がなく、構成が複雑化せず、コスト高も招き難い。
【００２５】
本発明の請求項５に係る消耗品ユニット装置は、上記長尺部材が、その撹拌軸の端部に固定されてなるから、トナー回収部の動作に支障を与え難い。
【００２６】
本発明の請求項６に係る消耗品ユニット装置は、上記第１のコネクタが、その長尺部材の導電部による画像形成装置からの検出信号の信号ライン形成によって上記第１の状態を検出し、その導電部の引き抜きによる検出ラインの開放によって上記第２の状態を検出するから、画像形成装置からの検出信号ラインの形成および開放といった簡単な構成で、上述した効果を達成可能である。
【図面の簡単な説明】
【００２７】
【図１】本発明に係る消耗品ユニット装置を搭載した画像形成装置を示す概略内部構成図である。
【図２】図１の本発明の消耗品ユニット装置の実施の形態を示す概略構成図である。
【図３】図１の消耗品ユニット装置を説明する要部概略斜視図である。
【図４】図１の消耗品ユニット装置を説明する要部概略図である。
【発明を実施するための形態】
【００２８】
以下、本発明の実施の形態を図面を参照して説明する。なお、本発明に係る消耗品ユニット装置は画像形成装置を説明する過程で説明する。
【００２９】
図１は本発明に係る画像形成装置の実施の一形態を示す概略内部構成図である。
【００３０】
図１において、画像形成装置Ａは、主制御部１を中心にして画像読取部３、記憶部５、操作パネル部７、印刷部９およびカウント部１１を有し、例えば複合機を構成している。画像形成装置Ａとしてはこれ以外にも種々の構成を有するが、本発明の要部ではないので説明および図示を省略する。
【００３１】
主制御部１は、画像読取部３、記憶部５、操作パネル部７、印刷部９およびカウント部１１その他を制御するものである。
【００３２】
画像読取部３は、例えば画像形成装置Ａにおいて、本体ケース１３の上部に配置され、主制御部１の制御の下、例えば印刷された原稿から画像を光学的に読み込み、フィルタ処理等をして電子的画像データを生成する公知のスキャナー等であり、生成した画像データが原稿の頁毎に記憶部５に順次記憶されるようになっている。
【００３３】
記憶部５は、画像読取部３からの画像データ、主制御部１の動作プログラム等を格納する読み書き可能な例えばハードディスク（ＨＤＤ）である。
【００３４】
操作パネル部７は、例えば本体ケース１３の上部に配置され、画像形成装置Ａの動作状態を表示する液晶形の表示部として機能するとともに、印刷する用紙である用紙の選択、印刷の実行又は中止、印刷部数等の指示入力部としての機能しており、主制御部１によって制御される。
【００３５】
操作パネル部７は、後述するように、感光体ドラムユニット装置２５に係る警報信号に基づき、警報表示可能になっている。
【００３６】
印刷部９は、本体ケース１３の下部に配置され用紙のセットされる複数の給紙段１５ａ、１５ｂ（図では２個示す。）と、給紙段１５ａ、１５ｂから１次給紙された用紙を２次給紙するレジストセンサ１７と、これによって２次給紙された用紙に対し、画像データに基づき形成したトナー像を転写する画像形成部１９と、トナー像の転写された用紙を加熱定着する定着部２１その他を有して形成されている。
【００３７】
画像形成部１９は、記憶部５の画像データに基づき外周に潜像を形成し、この潜像にトナーカセット２３からのトナーによってトナー像を形成する感光体ドラムユニット装置２５を有している。本発明は、この感光体ドラムユニット装置２５の構成に特徴がある。詳細は後述する。
【００３８】
カウント部１１は、主制御部１の制御の下、後述するように感光体ドラムユニット装置２５の動作の都度この動作をカウントし、予め設定された基準回数にそのカウント値が達したとき、上述した警報信号を主制御部１を介して操作パネル部７に出力する機能を有している。
【００３９】
主制御部１は、ＣＰＵ、このＣＰＵの起動プログラムを格納した作業用メモリ部、入出力インターフェース（いずれも図示せず。）を有し、上述した画像読取部３、記憶部５、操作パネル部７、印刷部９およびカウント部１１その他を制御するとともにその一部を担っている。
【００４０】
すなわち、主制御部１は、画像読取部３から得られた画像データを記憶部５に記憶させるとともに、記憶部５から読み出した画像データに基づき印刷部９にて画像形成印刷する機能の他、カウント部１１から警報信号を受けたとき、操作パネル部７に警報表示をする機能を有している。  さらに、主制御部１は、後述するように、感光体ドラムユニット装置２５から未使用信号を受け、画像形成装置Ａの電源が投入されたり、図示しない操作開閉扉が閉じられたとき、カウント部１１をリセット制御する機能を有している。
【００４１】
次に、本発明の感光体ドラムユニット装置２５を図２および図３を参照して説明する。なお、図２は図３中の矢符Ｘ方向から見た状態を概略的に示すものであり、図３において本発明に係る要部以外の説明は省略する。
【００４２】
図２および図３において、感光体ドラムユニット装置２５は、ユニット本体２７、感光体ドラム２９、帯電部３１、トナー回収部３３、中継基板３５、長尺フィルム３７、第１のコネクタ３９および第２のコネクタ４１その他を有して構成されている。
【００４３】
ユニット本体２７は、それら感光体ドラム２９、帯電部３１、トナー回収部３３、中継基板３５、長尺フィルム３７、第１のコネクタ３９および第２のコネクタ４１を内蔵する例えば合成樹脂ケースであり、画像形成装置Ａの本体ケース１３内に着脱自在に装着される。
【００４４】
感光体ドラム２９は、外周表面が研磨された例えば公知の金属製円筒ドラムであって、ユニット本体２７に回転自在に軸支されるとともに、画像形成装置Ａに配置された回転駆動ギア（図示せず）に連結して回転駆動されるようになっている。
【００４５】
感光体ドラム２９は、その回転過程で帯電部３１によって当該外周表面が帯電され、この状態で画像データに基づき潜像が形成され、トナーカセット２３からのトナーによってトナー像が形成される。
【００４６】
上述したように、２次給紙された用紙に対し、感光体ドラム２９に形成されたトナー像が転写されるので、当該用紙が感光体ドラム２９に当接しながら搬送されるが、図示を容易にするとともに説明を分かり易くするために、図２における用紙の当接状態の図示を省略した。
【００４７】
感光体ドラム２９の近傍には、これと平行にトナー回収部３３が配置されており、クリーニング部材４３によって感光体ドラム２９表面の廃トナーがトナー回収部３３に収納されるようになっている。
【００４８】
トナー回収部３３は、細長いボックス状になっており、内部にはスパイラルローラ状の撹拌軸（回転軸）３３ａが、その軸方向にユニット本体２７を突出するよう配置されており、その撹拌軸３３ａは、画像形成装置Ａに配置された回転駆動ギア（図示せず）に連結して回転駆動されるようになっている。撹拌軸３３ａはトナー回収部３３内において廃トナーを上流側（一方の側）から下流側（他方の側）に送るものである。
【００４９】
感光体ドラム２９の一方の端部、すなわちトナー回収部３３の上流側相当の近傍には、ユニット本体２７に支持された中継基板３５が配置されており、この中継基板３５における感光体ドラム２９側には第１のコネクタ３９が配置され、感光体ドラム２９から遠い方の端部には第２のコネクタ４１が配置されてユニット本体２７から突出している。
【００５０】
第１および第２のコネクタ３９、４１は、図４Ａに示すように、中継基板３５上で接続されており、第２のコネクタ４１は、ユニット本体２７が画像形成装置Ａの本体ケース１３に装着されたとき、画像形成装置Ａ内の検出ライン４５その他に接続され、この検出ライン４５が中継基板３５および第１のコネクタ３９を介し、再び第２のコネクタ４１から画像形成装置Ａ内のグランド電位に接続されるようになっている。
【００５１】
トナー回収部３３の撹拌軸３３ａにおける上流側の端部、すなわち中継基板３５側の端部には、可撓性の良好な薄い絶縁性合成樹脂フィルムからなる長尺フィルム３７の一方の端部が固定されており、図４Ｂに示すように、その長尺フィルム３７の他方の端部表面に導電部３７ａが形成されている。
【００５２】
長尺フィルム３７は、撹拌軸３３ａから感光体ドラム２９の端部外周に渡されるように延び、導電部３７ａが第１のコネクタ３５に挿入されており、導電部３７ａによって検出ライン４５が画像形成装置Ａ内のグランド電位に接続されるようになっている。
【００５３】
撹拌軸３３ａが回転して長尺フィルム３７がこれに巻き付けられると、導電部３７ａが第１のコネクタ３５から引き抜かれ、検出ライン４５のグランド電位への接続が開放される。
【００５４】
検出ライン４５がグランド電位に接続された状態では、そのライン電位が低い（Ｌレベル）が、導電部３７ａが第１のコネクタ３５から引き抜かれると、ライン電位が高く（Ｈレベル）なる。図４Ａ中の符号４７はそれを判別する鑑別部である。
【００５５】
従って、長尺フィルム３７の導電部３７ａが第１のコネクタ３５に挿入された状態で、当該感光体ドラムユニット装置２５の未使用状態（第１の状態）を検出し、撹拌軸３３ａの回転に伴う導電部３７ａの引き抜きによる検出ライン４５の開放により、当該感光体ドラムユニット装置２５の使用状態（第２の状態）を検出することが可能である。
【００５６】
次に、本発明に係る消耗品ユニット装置２５の動作を簡単に説明する。
【００５７】
未使用状態（新品状態）の感光体ドラムユニット装置２５は、長尺フィルム３７の先端導電部３７ａが第１のコネクタ３５に挿入された状態で供給される。
【００５８】
未使用状態（新品状態）の感光体ドラムユニット装置２５が、画像形成装置Ａに装着されて第２のコネクタ４１が画像形成装置Ａ内の検出ライン４５に接続されると、検出ライン４５が第１および第２のコネクタ３９、４１を介してグランド電位に接続される。
【００５９】
そのため、検出ライン４５のライン電位がＬレベルになるから、例えば、画像形成装置Ａ内に形成された判別部４７が検出ライン４５のＬレベルを判別したとき、感光体ドラムユニット装置２５が未使用状態（新品状態）であるとして未使用信号を主制御部１へ出力する。
【００６０】
これを受けて主制御部１は、画像形成装置Ａの電源が投入されたり、図示しない操作開閉扉が閉じられたとき、カウント部１１をリセットする。
【００６１】
その後、画像形成装置Ａが感光体ドラムユニット装置２５を印刷動作させると、トナー回収部３３の撹拌軸３３ａが回転し、長尺フィルム３７が撹拌軸３３ａに巻き付けられ、導電部３７ａが第１のコネクタ３５から引き抜かれる。
【００６２】
これによって、第１のコネクタ３５部分において、検出ライン４５のグランド電位への接続が開放されるから、検出ライン４５がＨレベルに変化し、判別部４７にて検出ライン４５のＨレベルが判別され、主制御部１によるカウント部１１のリセット動作を解除される。
【００６３】
その後は、画像形成装置Ａの印刷動作により、感光体ドラムユニット装置２５がカウント部１１のカウントを進めていくのは従来例と同様である。
【００６４】
このように本発明では、画像形成装置Ａに装着される当該装置の感光体ドラムユニット装置（消耗品ユニット装置）２５のユニット本体２７と、このユニット本体２７内に配置されその画像形成装置Ａからの回転駆動によって回転する撹拌軸（回転軸）３３ａと、一端がその撹拌軸３３ａに巻き付け可能に固定された可撓性の長尺フィルム（長尺部材）３７であって他方の端部に導電部３７ａを有する長尺フィルム３７と、そのユニット本体２７に配置されるとともに、画像形成装置Ａに直接又は間接的に電気的接続され、その長尺フィルム３７の導電部３７ａの接続によって感光体ドラムユニット装置２５の未使用状態（第１の状態）を検出し、その撹拌軸３３ａの回転に伴う導電部３７ａの引き抜きによってその感光体ドラムユニット装置２５の使用状態（第２の状態）を検出する第１のコネクタ３９と、この第１のコネクタ３９を画像形成装置Ａに電気的直接接続する第２のコネクタ４１とを具備している。
【００６５】
そのため、感光体ドラムユニット装置２５の装着とその後の動作により、感光体ドラムユニット装置２５の未使用状態と使用状態の検出が可能である。
【００６６】
しかも、第１のコネクタ３９が、画像形成装置Ａに電気的直接接続された第２のコネクタ４１を介して接続されるから、第２のコネクタ４１を画像形成装置Ａとの専用接続部材に使用可能となり、長尺フィルム３７の導電部３７ａと第１のコネクタ３９の接続を確保しつつ画像形成装置Ａとの接続が容易となる。なお、本発明において、第２のコネクタ４１は必ずしも必須ではない。
【００６７】
さらに、感光体ドラムユニット装置２５に配置したトナー回収部３３の撹拌軸３３ａを用いるから、長尺フィルム３７を巻き付ける回転軸を別に設ける必要がなく、構成が複雑化せず、コスト高も招き難い。
【００６８】
さらにまた、長尺フィルム３７がその撹拌軸３３ａの端部に固定されてなるから、長尺フィルム３７が邪魔にならず、トナー回収部３３の動作に支障を与え難い。もっとも、本発明において、撹拌軸３３ａはトナー回収部３３のそれに限定されず、種々の回転軸において実施可能である。
【００６９】
そして、本発明に係る消耗品ユニット装置は、上記第１のコネクタ３９が、その長尺フィルム３７の導電部３７ａによる画像形成装置Ａからの検出信号の信号ライン４５の形成によって未使用状態を検出し、その導電部３７ａの引き抜きによる検出ライン４５の開放によって使用状態を検出するから、特に構成が簡単であるし、邪魔になり難い。
【００７０】
本発明に係る消耗品ユニット装置は、消耗品ユニット装置２５に限らず、画像形成装置Ａに装着される当該装置の種々の消耗品ユニット装置において実施可能である。
【００７１】
また、長尺フィルム３７についても、上述した合成樹脂フィルムに限らず、線状や帯状等種々の可撓性の長尺部材で実施可能であり、少なくとも他方の端部に導電部を有するものであれば良い。
【００７２】
さらに、本発明の画像形成装置Ａは、複写機、ファクシミリ機、複合機等の画像形成装置Ａにおいて実施可能であり、上述した本発明の消耗品ユニット装置と同様の効果を有する。
【符号の説明】
【００７３】
１  主制御部
３  画像読取部
５  記憶部
７  操作パネル部（入力部）
９  印刷部
１１  カウント部
１３  本体ケース
１５ａ、１５ｂ  給紙段
１７  レジストセンサ
１９  画像形成部
２１  定着部
２３  トナーカセット
２５  感光体ドラムユニット装置（消耗品ユニット装置）
２７  ユニット本体
２９  感光体ドラム
３１  帯電部
３３  トナー回収部
３３ａ  撹拌軸（回転軸）
３５  中継基板
３７  長尺フィルム（長尺部材）
３７ａ  導電部
３９  第１のコネクタ
４１  第２のコネクタ
４３  クリーニング部材
４５  検出ライン
４７  判別部
Ａ  画像形成装置
【図１】
2011090132.tif 000003
【図２】
2011090132.tif 000004
【図３】
2011090132.tif 000005
【図４】
2011090132.tif 000006